(57)【要約】【課題】広い設置スペースを必要とせず、利用効率に優れた便器システムを実現する。【解決手段】小便用容器５と、小便用容器５を保持する保持部１０と、小便用容器５を外部の排液管に接続し、小便用容器５内の液体が内部を流動することにより排液管から排出される接続管６と、を備え、小便用容器５は、接続管６に接続された状態で、保持部１０に保持された保持位置と、利用者による利用位置との間で移動可能である。【選択図】図１
2019017558.tif 000002
【特許請求の範囲】
【請求項１】
小便用容器と、
前記小便用容器を保持する保持部と、
前記小便用容器を外部の排液管に接続し、前記小便用容器内の液体が内部を流動することにより前記排液管から排出される接続管と、を備え、
前記小便用容器は、前記接続管に接続された状態で、前記保持部に保持された保持位置と、利用者による利用位置との間で移動可能である
ことを特徴とする便器システム。
【請求項２】
前記小便用容器は、衛生治具が着脱可能に被せられる被覆部を有している
ことを特徴とする請求項１に記載の便器システム。
【請求項３】
前記衛生治具を前記被覆部に装着させる装着装置を備えた
ことを特徴とする請求項２に記載の便器システム。
【請求項４】
前記保持部が内部に設けられた収容箱を有し、
前記収容箱は、開閉可能な扉を有し、前記扉の開閉部を介して前記小便用容器を前記保持部に保持させて内部に収容可能である
ことを特徴とする請求項１から３の何れか１項に記載の便器システム。
【請求項５】
前記収容箱の内部には、衛生治具を前記小便用容器の被覆部に装着させる装着装置が設けられており、前記収容箱内で前記衛生治具を装着させることを特徴とする請求項４に記載の便器システム。
【請求項６】
前記収容箱の内部には、前記小便用容器を洗浄する洗浄装置が設けられている
ことを特徴とする請求項４に記載の便器システム。
【請求項７】
前記洗浄装置は、前記収容箱の前記扉の閉時に自動で前記小便用容器を洗浄する
ことを特徴とする請求項６に記載の便器システム。
【請求項８】
利用者の位置を検出し、前記小便用容器を利用者の位置に対する所定の相対位置に搬送する搬送装置を備えたことを特徴とする請求項１から７の何れか１項に記載の便器システム。
【請求項９】
請求項２，３，または５の何れか１項に記載の便器システムに取り付けられる衛生治具であって、
カテーテルが挿入可能であることを特徴とする衛生治具。
【発明の詳細な説明】
【技術分野】
【０００１】
本発明は、車椅子の利用者のための便器システム、および、便器システムに用いられる衛生治具に関する。
【背景技術】
【０００２】
従来、車椅子の利用者の利便性を考えた便器およびトイレ設備が知られている（例えば、特許文献１参照）。これらのトイレ設備では、車椅子に乗った利用者が便器に移乗することができるように、便器周りのスペースが広く確保されていた。
【先行技術文献】
【特許文献】
【０００３】
【特許文献１】特開２００１−２３４５７３号公報（２００１年８月３１日公開）
【発明の概要】
【発明が解決しようとする課題】
【０００４】
しかしながら、車椅子の利用者の利便性を考えた所謂多目的トイレとよばれるトイレ設備は、広い設置スペースを必要とするため設置数が少なく、込み合う場合があり、利用者が不便さを感じているという問題がある。
【０００５】
本発明は、上述した事情に鑑みてなされたものであり、広い設置スペースを必要とせず、利用効率に優れた便器システムを実現することを目的とする。
【課題を解決するための手段】
【０００６】
上記の課題を解決するために、本発明に係る便器システムは、小便用容器と、前記小便用容器を保持する保持部と、前記小便用容器を外部の排液管に接続し、前記小便用容器内の液体が内部を流動することにより前記排液管から排出される接続管と、を備え、前記小便用容器は、前記接続管に接続された状態で、前記保持部に保持された保持位置と、利用者による利用位置との間で移動可能である構成である。
【０００７】
上記の構成によれば、便器システムの利用者は、小便用容器を、保持位置と、利用位置との間で移動させて利用することができるため、利用効率に優れた便器システムを実現することができる。また、利用者は便器に移乗することなく、小便用容器に尿の排泄を行うことができるため、設置スペースを小さくすることができる。
【０００８】
また、前記の便器システムにおいて、前記小便用容器は、衛生治具が着脱可能に被せられる被覆部を有している構成であってもよい。
【０００９】
上記の構成によれば、被覆部を衛生治具で覆って、小便用容器を使用することができるため、手で直接小便用容器に触れる必要がなく、衛生的に利用することができる便器システムを提供することができる。
【００１０】
また、前記の便器システムにおいて、前記衛生治具を前記被覆部に装着させる装着装置を備えた構成であってもよい。
【００１１】
上記の構成によれば、衛生治具が装着装置によって小便用容器の被覆部に装着されるため、利用者が手で衛生治具を小便用容器に装着する必要がない。これによって、衛生的に利用することができる便器システムを提供することができる。また、衛生治具を手で装着させる必要がないため、手の不自由な人にとっても利便性の良い便器システムを提供することができる。
【００１２】
また、前記の便器システムにおいて、前記保持部が内部に設けられた収容箱を有し、前記収容箱は、開閉可能な扉を有し、前記扉の開閉部を介して前記小便用容器を前記保持部に保持させて内部に収容可能である構成であってもよい。
【００１３】
上記の構成によれば、非使用時には小便用容器を収容箱の内部に収容しておくことができ、小便用容器を衛生的に保つことができる。また、小便用容器を収容箱に収容しておく構成とすることで、トイレ設備内が煩雑な状態となるのを防ぐことができる。
【００１４】
また、前記の便器システムにおいて、前記収容箱の内部には、衛生治具を前記小便用容器の被覆部に装着させる装着装置が設けられており、前記収容箱内で前記衛生治具を装着させる構成であってもよい。
【００１５】
上記の構成によれば、収容箱内で衛生治具の装着を行うため、衛生治具を衛生的に保った状態で、小便用容器に装着させることができる。
【００１６】
また、前記の便器システムにおいて、収容箱の内部には、前記小便用容器を洗浄する洗浄装置が設けられている構成であってもよい。
【００１７】
上記の構成によれば、小便用容器を収容箱の内部で洗浄することができ、小便用容器を衛生的に利用することができる。
【００１８】
また、前記の便器システムにおいて、前記洗浄装置は、前記収容箱の前記扉の閉時に自動で前記小便用容器を洗浄する構成であってもよい。
【００１９】
上記の構成によれば、小便用容器が洗浄されずに次の利用者に使用されることが無く、各利用者が衛生的に便器システムを利用することができる。
【００２０】
また、前記の便器システムにおいて、利用者の位置を検出し、前記小便用容器を利用者の位置に対する所定の相対位置に搬送する搬送装置を備えた構成であってもよい。
【００２１】
上記の構成によれば、小便用容器が搬送装置によって利用者の位置に対する所定の相対位置に搬送されるため、利用者は保持位置にある小便容器に手を伸ばして掴んで移動させる必要がない。これによって、手に障害がある利用者等にとっても、安心して利用することができる便器システムを提供することができる。
【００２２】
また、前記の便器システムに取り付けられる衛生治具であって、カテーテルが挿入可能である構成としてもよい。
【００２３】
上記の構成によれば、膀胱にカテーテルが導入された利用者にとっても利便性の良い衛生治具を提供することが出来る。
【発明の効果】
【００２４】
本発明によれば、利用者は便器に移乗することなく小便用容器に尿を排泄することができ、広い設置スペースを必要とせず、利用効率に優れた便器システムを実現することができる。
【図面の簡単な説明】
【００２５】
【図１】本発明の実施形態に係る便器システムの概略構成を示す模式図である。
【図２】便器システムの概略構成を示す模式図である。
【図３】（ａ）および（ｂ）は、小便用容器に衛生治具を被せている便器システムの概略構成を示す模式図である。
【図４】装着装置を備えた便器システムの概略構成を示す模式図である。
【図５】取外装置を備えた便器システムの概略構成を示す模式図である。
【図６】洗浄装置を備えた便器システムの概略構成を示す模式図である。
【図７】搬送装置の概略構成を示すブロック図である。
【図８】搬送駆動部を備えた便器システムの概略構成を示す模式図である。
【図９】トイレ設備の概略構成を示す模式図である。
【図１０】トイレ設備の概略構成を示す模式図である。
【図１１】トイレ設備の概略構成の示す模式図である。
【発明を実施するための形態】
【００２６】
以下、本発明の実施形態に係る便器システム１ついて、詳細に説明する。
【００２７】
〔便器システム１の概略構成〕
図１および図２は、便器システム１の概略構成を示す模式図である。図１および図２に示すように、便器システム１は、小便用容器５と、接続管６と、保持部１０と、を含んでいる。便器システム１は、車椅子の利用者が尿の排泄を行う際に好適に用いることができるように構成されている。また、便器システム１は、特に、膀胱に導入されているカテーテルを介して尿を排泄するカテーテル排泄者の利便性を考えて構成されている。
【００２８】
小便用容器５は、中空の筒状、またはロート状の容器である。小便用容器５は、開放した天面部から容器内に導入された液体が底部の孔から流出するように構成されている。小便用容器５は、耐食性および耐薬品性に優れた材料から形成されているのが望ましい。また、小便用容器５は、軽量であるのが望ましい。小便用容器５は、例えば、ポリプロピレン、ポリカーボネート、およびメラミン樹脂等の１００℃以上の耐熱温度を有するプラスチック樹脂から形成されている構成とすることができる。
【００２９】
小便用容器５には、底部に設けられた液体を排出するための孔に、パッキン等のシール材を介して液体が外部に漏れないように接続管６が接続されている。なお、図示は省略するが、小便用容器５には、底部の孔に連通する管状部が一体に形成されており、当該管状部に接続管６が接続されている構成であってもよい。
【００３０】
接続管６は、小便用容器５と、外部の排液管（不図示）とを流体導通させる配管である。小便用容器５内の液体は、接続管６の内部を流動して、排液管に排出される。接続管６は、耐食性および耐薬品性に優れた材料から形成されているのが望ましい。また、接続管６は、形状をたわませることができる形態であるのが望ましく、例えば、樹脂性の蛇腹形状のフレキシブルチューブ、および蛇腹ホース等の配管を好適に用いることができる。
【００３１】
保持部１０は、小便用容器５を不使用時に保持する部材である。保持部１０は、例えば、小便用容器５が載置される台状の形態とすることができる。なお、保持部１０は、接続管６が接続されている状態の小便用容器５を安定して保持することが出来る形態であればよく、その形状や大きさが限定されるものではい。例えば、保持部１０は、図示は省略するが、小便用容器５が引き掛けられて保持されるフック等の形態であってもよいし、容器状の凹み部に保持部１０を収め保持する形態であってもよい。保持部１０は、例えば、後述するトイレ設備の壁面に設けられている構成とすることができる。
【００３２】
小便用容器５は、図１に示した保持部１０に保持された保持位置と、図２に示した利用者による利用位置との間で、接続管６に接続された状態で移動可能に構成されている。接続管６は、小便用容器５が保持位置にある場合にはたわんでいる状態となり、小便用容器５が利用者による利用位置に移動する際にたわみ部分が延ばされた状態となる。また、接続管６は、例えば、伸縮可能な構成であり、小便用容器５が保持位置にある場合には縮んだ状態となり、小便用容器５が利用者による利用位置に移動した際には伸びた状態となる構成であってもよい。
【００３３】
また、保持部１０は、小便用容器５を保持位置と利用位置との間で移動させる際に、小便用容器５および接続管６の移動の妨げとならないように構成されている。例えば、保持部１０が台状の形態である場合には、保持部１０には、接続管６が挿通される孔部や切欠部が設けられている構成であってもよい。
【００３４】
便器システム１の利用者は、保持部１０に保持された小便用容器５を保持部１０から取外し、利用位置まで移動させて、小便用容器５内に尿を排泄する。小便用容器５内に排泄された利用者の尿は、小便用容器５の内部から接続管６の内部に流動し、接続管６を介して排液管から排出される。
【００３５】
これらの構成によれば、便器システム１の利用者は、便器に体を乗り移らせる必要がなく、尿の排泄を行うことができる。また、利用者が便器に体を乗り移らせるためのスペースが必要ではなくなるため、便器システム１の設置スペースを削減することができる。よって、便器システム１は、限られた設置スペースへの設置も可能となり、仮設トイレにも好適に活用することができる。
【００３６】
ところで、車椅子の利用者において、膀胱にカテーテルが導入されており、当該カテーテルを介して尿の排泄を行う者がいる。このようなカテーテル排泄者においては、尿の排泄を行う際に、便器に体を乗り移らせる必要がないにも関わらず、これまでは、広い設置スペースを必要とする所謂多目的トイレを利用する必要があった。一方で、便器システム１は、小便用容器５を保持位置から利用位置まで移動させて、小便用容器５にカテーテルから尿を排泄させることができるため、利便性が良い。また、一般的に、トイレの利用割合は、大便に比べて小便の方が高いため、小便専用の便器システム１を設けることにより、トイレの利用効率を良くすることができる。
【００３７】
また、便器システム１は、収容箱２０を含む構成であってもよい。収容箱２０は、開閉可能な蓋２１を備え、蓋２１を開けた内部に保持部１０が設けられている。保持部１０に保持された小便用容器５は、蓋２１を開けた開閉部から収容箱２０の外側に移動させることができる。また、小便用容器５は、蓋２１を開けた開閉部から収容箱２０の内側に移動させ、保持部１０に保持させて、収容箱２０の内部に収容させることが出来る。
【００３８】
〔小便用容器５の衛生対策〕
ところで、小便用容器５は、利用者の手元まで移動することにより、利用者が容器内に尿を排泄することができる便器であるため、感染防止等の衛生対策を行うのが望ましい。図３〜図６は、便器システム１における衛生対策の例を示す図である。
【００３９】
（衛生治具５０の構成）
図３（ａ）、および（ｂ）は、衛生治具５０を小便用容器５に被せている便器システム１の概略構成を示す模式図である。小便用容器５は、開放した天面部から、接続管６との接続部に向かって延びる被覆部５ａを有している。小便用容器５は、例えば、図３（ａ）に示すように、天面側から衛生治具５０を着脱可能に被せて取り付けることができるように構成されている。そして、小便用容器５は、被覆部５ａの表面が衛生治具５０で覆われた状態で利用者による利用位置に移動する。
【００４０】
このように、小便用容器５は、利用時に、被覆部５ａの表面が衛生治具５０で包み込まれるように覆われている状態とすることができる。よって、利用者が手で小便用容器５を掴んで移動させる場合においても、衛生治具５０で包み込まれた被覆部５ａを手で触れることで、衛生的に小便用容器５を掴むことができる。
【００４１】
衛生治具５０は、使い捨ての治具であるのが望ましい。衛生治具５０は、例えば、有底筒状の形態とすることが出来る。衛生治具５０は、水溶性の材料から形成されたカップ状のものであってもよい。また、衛生治具５０は、カテーテルが挿入可能に構成されているのが望ましい。
【００４２】
図３（ｂ）に示すように、衛生治具５０には、カテーテル排泄者が利用する際に、カテーテルをスムーズに小便用容器５内に挿入することができるように、カテーテル挿入部５１が設けられていてもよい。カテーテル挿入部５１は衛生治具５０の底部に設けられた孔であってもよい。衛生治具５０は、例えば、底部にカテーテル挿入部５１としての孔が設けられた紙コップのような形態とすることができる。また、カテーテル挿入部５１は、衛生治具５０の底部に設けられた、押し込んで簡便に孔を開けることができるミシン目状の切り込みであってもよい。
【００４３】
便器システム１は、利用者が、保持部１０に保持された小便用容器５を、衛生治具５０で包み込まれた被覆部５ａを手で掴んで、利用位置まで移動させる構成であってもよい。この構成によれば、利用者は、利用位置まで移動した小便用容器５の内部に、衛生治具５０のカテーテル挿入部５１からカテーテルを差し込んで、尿を排泄することができる。
【００４４】
また、利用者は、尿の排泄が終わった後に、衛生治具５０が装着されている状態の小便用容器５を保持部１０に保持された保持位置に戻してから、衛生治具５０を取り外して、衛生治具５０をごみ箱などに廃棄してもよい。これにより、利用者は、直接的に小便用容器５に触れることなく、便器システム１を利用して尿の排泄を衛生的に行うことが出来る。
【００４５】
（装着装置３６の構成）
便器システム１は、小便用容器５に衛生治具５０を装着させる装着装置３６を備えた構成であってもよい。図４は、装着装置３６を備えた便器システム１の概略構成を示す模式図である。図４に示すように、衛生治具５０は、収容箱２０の内部に補充可能に収容されている構成であってもよい。例えば、衛生治具５０は、保持部１０の上方に複数積み重ねられた状態で収容箱２０に収容されていてもよい。
【００４６】
収容箱２０の内部には、衛生治具５０を小便用容器５に装着させる装着装置３６が備えられていてもよい。装着装置３６は、小便用容器５に、被覆部５ａを包み込むように衛生治具５０を装着することができればどのような形態であってもよい。
【００４７】
装着装置３６は、図示は省略するが、積み重ねて収容され複数の衛生治具５０のうちの一つ、例えば、保持部１０に対して最も近い位置に収容された衛生治具５０を掴んで、小便用容器５に被せるロボットアームを有する装置とすることができる。また、装着装置３６は、開閉式のアームを有し、蓋２１の開時に、積み重ねられた複数の衛生治具５０のうち、一番下の位置にある衛生治具５０だけが、自重で落下することにより、小便用容器５に被せられる構成であってもよい。
【００４８】
また、装着装置３６は、操作ボタン２２に対する利用者の操作に応じて、衛生治具５０を小便用容器５に装着させる構成であってもよい。操作ボタン２２は、例えば、収容箱２０の外表面に取り付けられている構成とすることができる。なお、操作ボタン２２は、収容箱２０の外表面に限らず、蓋２１の内側、または、便器システム１が取り付けられたトイレ設備内の壁面など、利用者にとって操作し易い場所に設けられていればよい。
【００４９】
これらの構成によれば、衛生治具５０は、小便用容器５に装着装置３６によって装着されるため、衛生治具５０の装着を利用者が手で行う必要がなく衛生的に行うことが出来る。また、衛生治具５０の装着を利用者が手で行う必要がないため、利用者の手が不自由な場合であっても、小便用容器５に衛生治具５０を装着して、衛生的に小便用容器５を利用することが出来る。
【００５０】
（取外装置３７の構成）
また、便器システム１は、小便用容器５に装着した衛生治具５０を取り外す取外装置３７を備えた構成であってもよい。図５は、取外装置３７を備えた便器システム１の概略構成を示す模式図である。図５に示すように、衛生治具５０を小便用容器５から取り外す取外装置３７は、収容箱２０の内部に設けられていてもよい。取外装置３７は、衛生的に衛生治具５０を小便用容器５から取り外すことができればどのような形態の装置であってもよい。
【００５１】
取外装置３７は、例えば、小便用容器５に被せられた衛生治具５０を左右から掴んで取り外す開閉可能なアームを備えたロボットアームの形態であってもよい。また、収容箱２０の内部には、取外装置３７の下方に廃棄ボックス２３が設けられており、取外装置３７によって小便用容器５から取り外された衛生治具５０が廃棄ボックス２３に廃棄される構成であってもよい。
【００５２】
また、取外装置３７は、操作ボタン２２に対する利用者の操作に応じて、衛生治具５０を小便用容器５から取り外す構成であってもよい。これらの構成によれば、衛生治具５０は、小便用容器５から取外装置３７によって取り外されるため、衛生治具５０の取外しを利用者が手で行う必要がなく衛生的に行うことが出来る。
【００５３】
（洗浄装置３５の構成）
また、便器システム１は、小便用容器５を洗浄する洗浄装置３５を備えている構成であってもよい。図６は、洗浄装置３５を備えた便器システム１の概略構成を示す模式図である。図６に示すように、小便用容器５を洗浄する洗浄装置３５は、収容箱２０の内部に設けられていてもよい。
【００５４】
収容箱２０の内部に設けられた洗浄装置３５は、例えば、収容箱２０の天井部に、ノズルまたはシャワーヘッド等の洗浄液を流出させる機構を有していてもよい。洗浄装置３５は、収容箱２０に収容された小便用容器５を、保持部１０に保持された状態のままで洗浄することができる。また、洗浄装置３５は、収容箱２０の蓋２１の開閉を検出するセンサを含み、蓋２１の閉時に自動で小便用容器５を洗浄する構成であってもよい。また、洗浄装置３５は、蓋２１の閉時に定期的に小便用容器５を洗浄する構成であってもよいし、蓋２１が開状態から閉状態に変わったことを検出した時に、小便用容器５の洗浄を行う構成であってもよい。また、図示は省略するが、洗浄装置３５による洗浄を開始する操作ボタンが設けられており、当該ボタンに対する利用者の操作に応じて、小便用容器５の洗浄を行う構成であってもよい。
【００５５】
洗浄装置３５は、例えばアルコール等の消毒効果のある液体を小便用容器５に向けて流出させることで小便用容器５を消毒および洗浄する構成であってもよい。また、洗浄装置３５は、熱湯等の殺菌消毒可能な温度のお湯を小便用容器５に向けて流出させることで小便用容器５を消毒および洗浄する構成であってもよい。また、洗浄装置３５は、図示は省略するが、小便用容器５を液体洗浄した後に乾燥させる乾燥機能を備えている構成であってもよい。洗浄装置３５は、小便用容器５にドライエアーを吹きつける、または、熱風を吹きつけることにより、小便用容器５を乾燥させることができてもよい。また、例えば洗浄装置３５は、ＵＶ照射器を含み、小便用容器５にＵＶ照射を行うことにより、非使用時には継続的に小便用容器５の殺菌を行うことができる構成であってもよい。
【００５６】
なお、便器システム１の利用者が、小便用容器５が衛生的であることを認識しやすく、安心して小便用容器５を利用することができるように、蓋２１に収容箱２０の内部の状態を見ることができる透明部材で形成された窓部を設けてもよい。また蓋２１が透明部材で形成されていてもよい。利用者は、蓋２１を通して、小便用容器５が洗浄装置３５によって洗浄されている状態を見ることができる。これによって、利用者は、小便用容器５が衛生的であることを認識して、安心して利用することができる。
【００５７】
〔搬送装置４０の構成〕
便器システム１は、更に、小便用容器５を、保持部１０に保持された保持位置から、利用者の利用位置まで搬送する搬送装置４０を備えていてもよい。図７は、搬送装置４０の概略構成を示すブロック図であり、図８は、搬送駆動部４３の一例を示す図である。
【００５８】
図７に示すように、搬送装置４０は、搬送装置４０の各部を制御する制御部４１と、利用者の位置を検出するための位置センサ４２と、小便用容器５を搬送する搬送駆動部４３と、を備えている。制御部４１は、位置センサ４２から供給されるセンサ信号に基づいて、利用者の位置を検出し、検出した利用者の位置に対する所定の相対位置（利用位置）に小便用容器５を搬送するべく搬送駆動部４３を制御する。
【００５９】
なお、利用者の位置に対する所定の相対位置は、利用者による利用位置に限らず、例えば、利用者の手元位置であってもよい。利用者は、手元位置まで搬送された小便用容器５を、手で掴んで適宜の利用位置まで移動させることができてもよい。
【００６０】
位置センサ４２は、保持部１０、収容箱２０、および、便器システム１が備えられたトイレ設備の壁面または天井面等の場所に少なくとも１つ設けられている。位置センサ４２は、例えば、赤外線センサまた温度感知センサなどでも良い。搬送装置４０は複数の位置センサ４２を有し、複数の位置センサ４２のセンサ信号に基づいて、利用者の位置、および、利用者の位置に対する所定の相対位置を立体的に検出することができてもよい。また、制御部４１は、位置センサ４２から供給されるセンサ信号に基づいて、利用者の移動が終了したのを検出して、搬送駆動部４３の駆動を開始してもよい。
【００６１】
また位置センサ４２に変えて、赤外線カメラ等の撮像装置を用いて、例えばトイレ設備内を撮影した撮影画像から、利用者の位置を画像認識によって検出する構成であってもよい。また、搬送装置４０は、画像認識によって、利用者の位置だけではなく、利用者の性別、および体格等を検出して、各利用者に対して適宜の利用位置を算出することが出来てもよい。なお、例えば実験結果に基づいて求められた利用者の位置に対する所定の相対位置が記録されたテーブルが、搬送装置４０に記憶されており、制御部４１は当該テーブルを参照して、利用者の位置に対する所定の相対位置に小便用容器５が搬送されるように搬送駆動部４３を駆動する構成であってもよい。
【００６２】
搬送駆動部４３は、図８に示すように、例えば、多軸のロボットアームの形態である構成とすることができる。なお、搬送駆動部４３は、小便用容器５を、保持部１０に保持された保持位置から、利用者の位置に対する所定の相対位置まで安定して搬送することが出来ればいかなる形態であってもよく、図８に示した搬送駆動部４３はその一例に過ぎない。
【００６３】
このように、便器システム１は、利用者の位置を検出し、小便用容器５を利用者の位置に対する所定の相対位置に搬送する搬送装置４０を備えている。これにより、利用者は手で小便用容器５を保持位置から利用位置まで移動させる必要がなく、利便性の向上を図ることができる。
【００６４】
〔トイレ設備１００の概略構成〕
図９〜図１１は、便器システム１が設けられたトイレ設備１００の概略構成を示す模式図である。
【００６５】
車椅子の利用者の幅Ｗｕは、一般的に７００ｍｍ程度であり、奥行きＤｕは、一般的に８００ｍｍ程度である。便器システム１が設けられたトイレ設備１００では、利用者が便器に体を乗り移らせる必要がないため、トイレ設備１００内の空間は、幅Ｗｔが８００ｍｍ〜１０００ｍｍ程度、奥行きＤｔが１２００〜１４００程度あれば十分となる。また、これだけのスペースがあれば、トイレ設備１００の内部に、便器システム１に加えて、手洗い場２を設けることができる。
従来の多目的トイレは、幅×奥行が２０００ｍｍ×２０００ｍｍ程度であるため、本実施形態のトイレ設備１００は、従来の半分以下の面積で設置することが出来る。よって、従来の多目的トイレのスペースにトイレ設備１００を２つ設置することが出来、従来の多目的トイレに比べて、２倍の効率化を図ることができる。
【００６６】
また、トイレ設備１００の内部には、トイレ設備１００の出入り口のドアを開閉させるドア開閉ボタン３が設けられている。トイレ設備１００の出入り口には、利用者が安全にトイレ設備１００に出入りすることができるように安全センサ８が設けられている。安全センサ８は、利用者がトイレ設備１００から出入りしている途中でドアが閉じたりすることが無いように設けられている。トイレ設備１００の出入り口のドアを開閉させる開閉機構および開閉モータは、例えばトイレ設備１００の天井部に設けられていてもよい。
【００６７】
また、トイレ設備１００の外側には、例えば出入り口のドアの上方に、退出ランプ９が設けられていてもよい。トイレ設備１００の内部には、車椅子の利用者が退出のために向きを変えるためのスペースがないため、利用者は後ろ向きで退出する必要がある。退出ランプ９は、利用者がトイレ設備１００から退出するために、トイレ設備１００内のドア開閉ボタン３を押すことで点灯する構成とすることができる。また、上述した位置センサ４２によって利用者の動きを検出して、退出ランプ９が点灯する構成であってもよい。
【００６８】
このように、トイレ設備１００から人が退出する場合には、退出ランプ９の点灯により、人退出を周囲に知らせることができるため、利用者は後ろ向きであっても、安心してトイレ設備１００から退出することができる。
【００６９】
図１０は、トイレ設備１００の出入り口の構成の一例を示す図である。車椅子の利用者の高さＨｕは一般的に１４００ｍｍ以内であるため、出入り口の高さＨｏは１６００ｍｍ程度あればいい。トイレ設備１００の天井までの高さＨを２０００ｍｍとした場合は、天井から４００ｍｍの範囲に収まるようなドア４を取り付けることができる。ドア４は、例えば、高さ方向に４分割された平板部材を有し、ドア４の開時には、下部の３枚の平板部材が最上部の平板部材の前後に重ねられるように天井から４００ｍｍの範囲に収納される構成であってもよい。
【００７０】
図１１は、トイレ設備１００の出入り口の構成の別の例を示す図である。図１１に示すように、ドア４は、横向きに開閉する構成であってもよい。ドア４は、引き戸スペースを必要とせずに開閉することが出来る構成であるのが望ましく、開いたときに、トイレ設備１００の奥行方向に沿ってスライドする形態とすることができる。ドア４は、横方向に変形可能な蛇腹構造であってもよく、利用者がトイレ設備１００の外側から外部取手４ａを掴んで横方向にスライドさせることで、トイレ設備１００の壁面に沿って変形しながら奥行方向に押し込まれていく構成であってもよい。
【００７１】
ドア４には、トイレ設備１００の内側に奥行方向に互いに間隔をあけて複数の取っ手が設けられていてもよい。トイレ設備１００内に入った利用者は、ドア４を閉じるために方向転換することなく、便器システム１が設けられたトイレ設備１００の正面側を向いた状態で、まず、自分に近い位置にある第二の内部取っ手４ｃを握って、ドア４を閉じる方向にスライドさせる。続いて、利用者は、ドア４をスライドさせることで自分に近づいた第一内部取っ手４ｂを握って、更にドア４を閉じる方向にスライドさせる。これによって、ドア４が閉じられる。
【００７２】
また、トイレ設備１００の内側からドア４を開ける際には、利用者は、ドア４を開けるために方向転換することなく、まず自分に近い位置にある第一の内部取っ手４ｂを握って、ドア４を開ける方向にスライドさせる。続いて、利用者は、ドア４をスライドさせることで自分に近づいた第二内部取っ手４ｃを握って、更にドア４を開ける方向にスライドさせる。これによって、ドア４が開かれ、ユーザは後ろ向きのまま出入り口から退出することができる。
【００７３】
これらの構成によれば、トイレ設備１００が仮設設備である場合などで、トイレ設備１００に電源の供給が無い場合であっても、利用者が一人でトイレ設備１００への出入りを行うことができる。
【００７４】
なお、トイレ設備１００が常設設備である場合には、ドア４を電動式である構成として、ドア開閉ボタン３の操作により、ドア４を開閉することができる構成としてもよい。
【００７５】
なお、便器システム１は、省スペースな形態であるため、例えば、一般的な公共のトイレなどの一部をパーティションや、カーテンなどで区切った場所に設けることもできる。
【００７６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００７７】
１  便器システム
５  小便用容器
５ａ  被覆部
６  接続管
１０  保持部
２０  収容箱
３５  洗浄装置
３６  装着装置
４０  搬送装置
５０  衛生治具
１００  トイレ設備
【図１】
2019017558.tif 000003
【図２】
2019017558.tif 000004
【図３】
2019017558.tif 000005
【図４】
2019017558.tif 000006
【図５】
2019017558.tif 000007
【図６】
2019017558.tif 000008
【図７】
2019017558.tif 000009
【図８】
2019017558.tif 000010
【図９】
2019017558.tif 000011
【図１０】
2019017558.tif 000012
【図１１】
2019017558.tif 000013